(57)【要約】【課題】容器本体から着脱する際に手指が滑りにくく、意匠性に優れ、かつ製造しやすいキャップを提供する。【解決手段】透明な上筒部１２と、上筒部１２の一方の開口端を塞ぐ天蓋部１４とを有するキャップ１であって；上筒部１２が、複数の第１の多角面２０と第２の多角面２２とで構成され、かつ多角面同士間に第１の稜線２４と第２の稜線２６とが形成された外周壁、および複数の第１の多角面２１と第２の多角面２３とで構成され、かつ多角面同士間に第１の谷線２５と第２の谷線２７とが形成された内周壁を有し；内周壁の第１の谷線２５および第２の谷線２７が、外周壁の第１の多角面２０および第２の多角面２２を、それぞれ３つの領域に分割するように外周壁側に透けて見える位置に形成されている。【選択図】図１
2015151132.tif 000002
【特許請求の範囲】
【請求項１】
透明な筒状部と、前記筒状部の一方の開口端を塞ぐ天蓋部とを有し、
前記筒状部が、複数の多角面で構成され、かつ多角面同士間に線条が形成された外周壁、および複数の多角面で構成され、かつ多角面同士間に線条が形成された内周壁を有し、
前記内周壁の線条の一部または全部が、前記外周壁の多角面を分割するように前記外周壁側に透けて見える位置に形成されている、キャップ。
【請求項２】
前記外周壁および前記内周壁が、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成されている、請求項１に記載のキャップ。
【請求項３】
前記外周壁および前記内周壁のうち、
一方が、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成され、
他方が、複数の四角面で構成されている、
請求項１に記載のキャップ。
【請求項４】
前記外周壁および前記内周壁が、複数の四角面で構成されている、請求項１に記載のキャップ。
【請求項５】
前記第１の多角面および前記第２の多角面が、三角面または台形面である、請求項２または３に記載のキャップ。
【請求項６】
前記多角面の少なくとも一部が、凹面とされた、請求項１〜５のいずれか一項に記載のキャップ。
【請求項７】
前記筒状部が、前記天蓋部に向かうにしたがって外径が小さくされた縮径部を有し、
前記縮径部が、複数の多角面で構成され、かつ多角面同士間に線条が形成された外周壁、および複数の多角面で構成され、かつ多角面同士間に線条が形成された内周壁を有し、
前記縮径部の内周壁の線条が、前記縮径部の外周壁の一部または全部の多角面を分割するように前記縮径部の外周壁側に透けて見える位置に形成されている、請求項１〜６のいずれか一項に記載のキャップ。
【発明の詳細な説明】
【技術分野】
【０００１】
本発明は、キャップに関する。
【背景技術】
【０００２】
液状物（液体洗剤、液体漂白剤、液体柔軟剤、溶剤等）、粉粒物（粒状洗剤、粒状漂白剤、粒状調味料等）等の内容物を収納する容器には、容器本体の口部に回動により着脱可能に螺着されるキャップが設けられている。このキャップには、回動により容器本体から着脱する際に手指が滑らないようにすることが求められる。このようなキャップとしては、例えば、キャップの周方向に直交する方向に伸びる複数の凸条または溝からなるローレット（ナール）がキャップの外周壁に形成されたキャップが提案されている（特許文献１）。また、回動により容器本体から着脱する際に手指が滑らず、かつ意匠性も付与されたキャップとしては、例えば、天蓋側から見て外周形状が多角形とされたキャップが提案されている（特許文献２）。
【先行技術文献】
【特許文献】
【０００３】
【特許文献１】特開２００１−３５４２４７号公報
【特許文献２】特開２００９−００７０６５号公報
【発明の概要】
【発明が解決しようとする課題】
【０００４】
キャップの意匠性をさらに向上させるためには、キャップの外周壁を、規則的に配置された数多くの多角面で構成し、宝石のカットのようなキラキラした感じを出すことが考えられる。
しかし、キャップの外周壁を、規則的に配置された数多くの多角面で構成する場合、下記のような問題が生ずる。
【０００５】
・キャップを製造する際に用いる射出成形用金型のキャビティの内周壁に数多くの多角面を形成する必要があり、金型の作製が困難である。
・キャビティの内周壁に数多くの多角面が形成された射出成形用金型は、キャビティの内周壁の形状が複雑となるため、キャップを成形した後に金型から抜きにくい。
・キャップの外周壁を構成する多角面の数が多くなると、天蓋側から見た外周形状が円形に近づくため、回動により容器本体からキャップを着脱する際に手指が滑りやすくなる。
【０００６】
本発明は、容器本体から着脱する際に手指が滑りにくく、意匠性に優れ、かつ製造しやすいキャップを提供する。
【課題を解決するための手段】
【０００７】
本発明のキャップは、透明な筒状部と、前記筒状部の一方の開口端を塞ぐ天蓋部とを有し；前記筒状部が、複数の多角面で構成され、かつ多角面同士間に線条が形成された外周壁、および複数の多角面で構成され、かつ多角面同士間に線条が形成された内周壁を有し；前記内周壁の線条の一部または全部が、前記外周壁の多角面を分割するように前記外周壁側に透けて見える位置に形成されていることを特徴とする。
【０００８】
本発明のキャップの第１の態様としては、前記外周壁および前記内周壁が、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成されているものが挙げられる。
【０００９】
本発明のキャップの第２の態様としては、前記外周壁および前記内周壁のうち；一方が、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成され；他方が、複数の四角面で構成されているものが挙げられる。
【００１０】
本発明のキャップの第３の態様としては、前記外周壁および前記内周壁が、複数の四角面で構成されているものが挙げられる。
【００１１】
前記第１の多角面および前記第２の多角面は、三角面または台形面であることが好ましい。
前記多角面の少なくとも一部は、凹面とされていることが好ましい。
【００１２】
前記筒状部が、前記天蓋部に向かうにしたがって外径が小さくされた縮径部を有し；前記縮径部が、複数の多角面で構成され、かつ多角面同士間に線条が形成された外周壁、および複数の多角面で構成され、かつ多角面同士間に線条が形成された内周壁を有し；前記縮径部の内周壁の線条が、前記縮径部の外周壁の一部または全部の多角面を分割するように前記縮径部の外周壁側に透けて見える位置に形成されていることが好ましい。
【発明の効果】
【００１３】
本発明のキャップは、容器本体から着脱する際に手指が滑りにくく、意匠性に優れ、かつ製造しやすい。
【図面の簡単な説明】
【００１４】
【図１】本発明のキャップの第１の実施形態を示す斜視図である。
【図２】図１のキャップの側面図である。
【図３】図１のキャップの上面図である。
【図４】図２のＩＶ−ＩＶ断面図である。
【図５】図２のＶ−Ｖ断面図である。
【図６】本発明のキャップの第２の実施形態を示す斜視図である。
【図７】図６のキャップの側面図である。
【図８】本発明のキャップの第３の実施形態を示す斜視図である。
【図９】図８のキャップの側面図である。
【発明を実施するための形態】
【００１５】
以下の用語の定義は、本明細書及び特許請求の範囲にわたって適用される。
「透明」とは、可視光を透過することを意味する。よって、可視光を透過する点では、「半透明」は、透明に包含される。
「多角面」とは、３つ以上の角を有する面を意味する。多角面の辺は、直線に限定されず、湾曲していてもよい。また、多角面は、内方に湾曲した凹面であってもよく、外方に湾曲した凸面であってもよい。筒状部の外周壁に配置された複数の多角面の形状、サイズ等は、すべて同じであってもよく、一部または全部で異なっていてもよい。
「線条」とは、多角面同士間に形成されて、隣り合う多角面間の境界として認識できる稜線もしくは谷線、または凸条もしくは凹条を意味する。
「稜線」とは、隣り合う多角面が交わってできる山の頂部の連なりの線分を意味する。逆に「谷線」とは、隣り合う多角面が交わってできる谷の底部の連なりの線分を意味する。ここで「交わる」とは、隣り合う多角面が出会って少なくとも１つの辺を共有することを意味する。稜線および谷線は、直線に限定されず、湾曲していてもよい。
「凸条」とは、多角面の辺に沿って延びる、多角面よりも外方に突出した突起を意味する。逆に「凹条」とは、多角面の辺に沿って延びる、多角面よりも内方に窪んだ溝を意味する。凸条および凹条は、直線状のものに限定されず、湾曲していてもよい。
「第１の多角面」とは、天蓋部から離れるにしたがって筒状部の周方向の幅が狭くなる形状の多角面である。筒状部の外周壁に複数の第１の多角面が配置されている場合、第１の多角面の形状、サイズ等は、すべて同じであってもよく、一部または全部で異なっていてもよい。
「第２の多角面」とは、天蓋部から離れるにしたがって筒状部の周方向の幅が広くなる形状の多角面である。筒状部の外周壁に複数の第２の多角面が配置されている場合、第２の多角面の形状、サイズ等は、すべて同じであってもよく、一部または全部で異なっていてもよい。
「縮径部」とは、筒状部において天蓋部に接続する部分であって、天蓋部に向かうにしたがって外径が小さくされることによって、縮径部以外の筒状部本体に比べ、外周壁が筒状部の軸線方向に対して傾斜している部分を意味する。筒状部本体は、縮径部に比べて小さい傾斜角で、外周壁が筒状部の軸線方向に対して傾斜していてもよい。
「肉厚部」とは、筒状部において外周壁と内周壁とに挟まれた筒状部の厚み部分を意味する。
「対向」とは、２つの面がその少なくとも一部において平行に向き合っていることを意味する。
【００１６】
（第１の実施形態）
図１は、本発明のキャップの第１の実施形態を示す斜視図であり、図２は、側面図であり、図３は、上面図である。図１および図２における破線は、内周壁側の多角面同士間に形成された線条が外周壁側に透けて見えていることを示す。図４は、図２のＩＶ−ＩＶ断面図であり、図５は、図２のＶ−Ｖ断面図である。
【００１７】
キャップ１は、容器（図示略）の計量キャップとして用いられるものである。
キャップ１は、キャップ本体１０と、キャップ本体１０の外壁面から外方に延設された螺合部４０とが一体成形されたものである。
キャップ本体１０の外径は、特に限定されないが、例えば、２〜５ｃｍとされる。
螺合部４０の外径は、特に限定されないが、例えば、３〜７ｃｍとされる。
【００１８】
キャップ本体１０は、筒状の上筒部１２（筒状部）と、上筒部１２の一方の開口端を塞ぐ、上面側からみて多角形の天蓋部１４と、上筒部１２の他方の開口端から上筒部１２の軸線方向に延設された筒状の下筒部１６とを有する有蓋筒状のものである。
上筒部１２は、上筒部本体１２ａと、天蓋部１４に接続する縮径部１２ｂとから構成される。縮径部１２ｂは、天蓋部１４に向かうにしたがって外径が小さくされることによって、上筒部本体１２ａに比べ、外周壁が上筒部１２の軸線方向に対して傾斜している。
【００１９】
上筒部本体１２ａの外周壁は、上筒部本体１２ａの周方向に交互に配置された、天蓋部１４から離れるにしたがって上筒部本体１２ａの周方向の幅が狭くなる三角面の第１の多角面２０と、天蓋部１４から離れるにしたがって上筒部本体１２ａの周方向の幅が広くなる三角面の第２の多角面２２とで構成されている。また、上筒部本体１２ａの外周壁には、隣り合う第１の多角面２０と第２の多角面２２とが交わってできる、天蓋部１４側から見て時計回りの方向に下るように傾斜した第１の稜線２４と、天蓋部１４側から見て反時計回り方向に下るように傾斜した第２の稜線２６とが形成されている。
【００２０】
上筒部本体１２ａの内周壁は、外周壁と同様に、上筒部本体１２ａの周方向に交互に配置された、天蓋部１４から離れるにしたがって上筒部本体１２ａの周方向の幅が狭くなる三角面の第１の多角面２１と、天蓋部１４から離れるにしたがって上筒部本体１２ａの周方向の幅が広くなる三角面の第２の多角面２３とで構成されている。また、上筒部本体１２ａの内周壁には、隣り合う第１の多角面２１と第２の多角面２３とが交わってできる、天蓋部１４側から見て時計回りの方向に下るように傾斜した第１の谷線２５と、天蓋部１４側から見て反時計回り方向に下るように傾斜した第２の谷線２７とが形成されている。
【００２１】
上筒部本体１２ａの外周壁の第１の多角面２０と内周壁の第１の多角面２１とは、略同じ形状、略同じサイズである。また、上筒部本体１２ａの外周壁の第２の多角面２２と内周壁の第２の多角面２３とは、略同じ形状、略同じサイズである。
【００２２】
上筒部本体１２ａの外周壁の第１の多角面２０と内周壁の第２の多角面２３とは、上筒部本体１２ａの肉厚部１２ｃを挟んで対向している。また、上筒部本体１２ａの外周壁の第２の多角面２２と内周壁の第１の多角面２１とは、上筒部本体１２ａの肉厚部１２ｃを挟んで対向している。
これにより、内周壁の第１の谷線２５および第２の谷線２７が、外周壁の第１の多角面２０および第２の多角面２２を、それぞれ３つの領域（１つのひし形面および２つの三角面）に分割するように、外周壁側に透けて見える位置に形成されることになる。
【００２３】
第１の多角面２０は、第１の稜線２４および第２の稜線２６から、第１の多角面２０を上筒部本体１２ａの周方向に直交する方向に二等分する中間線（図示略）に向かうにしたがって深くされた凹面とされている（図４参照）。
【００２４】
縮径部１２ｂの外周壁は、縮径部１２ｂの周方向に交互に配置された、天蓋部１４から離れるにしたがって縮径部１２ｂの周方向の幅が狭くなる三角面の第１の多角面３０と、天蓋部１４から離れるにしたがって縮径部１２ｂの周方向の幅が広くなる三角面の第２の多角面３２とで構成されている。また、縮径部１２ｂの外周壁には、隣り合う第１の多角面３０と第２の多角面３２とが交わってできる、天蓋部１４側から見て時計回りの方向に下るように傾斜した第１の稜線３４と、天蓋部１４側から見て反時計回り方向に下るように傾斜した第２の稜線３６とが形成されている。
【００２５】
縮径部１２ｂの内周壁は、外周壁と同様に、縮径部１２ｂの周方向に交互に配置された、天蓋部１４から離れるにしたがって縮径部１２ｂの周方向の幅が狭くなる三角面の第１の多角面３１と、天蓋部１４から離れるにしたがって縮径部１２ｂの周方向の幅が広くなる台形面の第２の多角面３３とで構成されている。また、縮径部１２ｂの内周壁には、隣り合う第１の多角面３１と第２の多角面３３とが交わってできる、天蓋部１４側から見て時計回りの方向に下るように傾斜した第１の谷線３５と、天蓋部１４側から見て反時計回り方向に下るように傾斜した第２の谷線３７とが形成されている。
【００２６】
縮径部１２ｂの外周壁の第１の多角面３０と内周壁の第１の多角面３１とは、略同じ形状、略同じサイズである。また、縮径部１２ｂの外周壁の第２の多角面３２と内周壁の第２の多角面３３とは、形状が若干異なるものの、略同じサイズである。
【００２７】
縮径部１２ｂの外周壁の第１の多角面３０と内周壁の第２の多角面３３とは、縮径部１２ｂの肉厚部１２ｃを挟んで対向している。また、縮径部１２ｂの外周壁の第２の多角面３２と内周壁の第１の多角面３１とは、縮径部１２ｂの肉厚部１２ｃを挟んで対向している。
これにより、内周壁の第１の谷線３５および第２の谷線３７が、外周壁の第１の多角面３０および第２の多角面３２を、それぞれ３つの領域（１つのひし形面または五角形面および２つの三角面）に分割するように、外周壁側に透けて見える位置に形成されることになる。
【００２８】
第１の多角面２０と第２の多角面２２との合計の数、第１の多角面２１と第２の多角面２３との合計の数、第１の多角面３０と第２の多角面３２との合計の数、および第１の多角面３１と第２の多角面３３との合計の数は、それぞれ６〜３６が好ましく、８〜２４がより好ましく、９〜１３がさらに好ましい。合計の数が６以上であれば、上筒部１２が筒状となる。合計の数が１３以下であれば、外周壁において隣り合う第１の多角面２０と第２の多角面２２とがなす内角が大きくなりすぎない。そのため、第１の稜線２４および第２の稜線２６の部分に手指が掛止されやすくなり、手指が滑りにくくなる。
【００２９】
上筒部１２および下筒部１６には、キャップ本体１０に収納した内容物の量を示す複数の目盛（図示略）が形成されている。各目盛は、天蓋部１４から下筒部１６に向かう距離を示す計量線と数字と容量を示す単位とからなる。目盛としては、例えば、レーザー印字や印刷（シルクスクリーン印刷、タンポ印刷等）によって形成された印字、または凸条もしくは凹条等が挙げられる。
【００３０】
螺合部４０は、上筒部１２の他方の開口端から外方に延設された段部４２と、段部４２の周縁から上筒部１２の軸線方向に延設された、キャップ本体１０と同軸の外筒部４４とを有する。
外筒部４４の内周壁には、容器本体のネジ部と螺合するネジ部４６が形成されている。
外筒部４４の外周壁には、外筒部４４の周方向に直交する方向に延びる複数の凸条が周方向に複数並んで形成されたローレット部５０、およびローレット部５０に隣接する、凸条が形成されていない平滑部５２が形成されている。
【００３１】
キャップ１は、キャップ内に注ぎ入れた内容物をはっきりと視認する点から、少なくとも上筒部１２が透明な材料からなり、全体が透明な材料からなることが好ましい。
キャップ１の材料としては、例えば、ポリオレフィン（ポリエチレン、ポリプロピレン等）、ポリエステル（ポリエチレンテレフタレート等）、ポリスチレン等が挙げられる。
【００３２】
キャップ１は、従来の計量キャップと同様に、上筒部１２の外周壁に手指を当接してキャップ本体１０を把持し、軸線を中心にして回動させることで、螺合部４０の部分で容器本体（図示略）の口部に螺着または螺脱される。この際、使用者の手指は、上下方向への移動および回動方向への移動が第１の稜線２４または第２の稜線２６で充分に規制されるため、手指が上下方向および回動方向に滑りにくい。そのため、キャップ１を容器本体に容易に螺着または螺脱できる。
【００３３】
内容物を計量する際は、キャップ１を容器本体から螺脱し、容器本体から内容物を注ぎ出し、注ぎ出した内容物を下筒部１６の開口端からキャップ本体１０内に注ぎ入れる。この際、目盛が形成された上筒部１２を手で塞がないように螺合部４０を把持することで、目盛と内容物とを照合できる。そして、使用者は、ローレット部５０に手指を当接させることで手指の滑りが防止され、キャップ１を落下させることなく、内容物を計量できる。
【００３４】
（製造方法）
キャップ１は、例えば、金型のキャビティの内周壁および金型のコアの外周壁のそれぞれに、周方向に交互に配置された第１の多角面と第２の多角面とを同じように形成し、キャビティおよびコアを周方向に相対的にずらした状態で金型を型閉めし、キャビティとコアとの間に材料を射出し、成形することによって製造できる。
【００３５】
（作用機序）
以上説明したキャップ１にあっては、上筒部本体１２ａが、複数の三角面で構成され、かつ三角面同士間に第１の稜線２４と第２の稜線２６とが形成された外周壁、および複数の三角面で構成され、かつ三角面同士間に第１の谷線２５と第２の谷線２７とが形成された内周壁を有し；内周壁の第１の谷線２５および第２の谷線２７が、外周壁の三角面を、それぞれ３つの領域（１つのひし形面および２つの三角面）に分割するように、外周壁側に透けて見える位置に形成されている。そのため、外周壁の三角面の数を多くすることなく、見かけ上、多角面が多く存在するように見せることができる。そのため、手指の滑りにくさや製造のしやすさを保ちつつ、上筒部１２に宝石のカットのような意匠性を付与できる。また、内周壁の１つの谷線で２つの領域に分割されたように見える外周壁の多角面においては、外周壁側では２つの領域間で光の反射に差は見られないが、内周壁側では２つの領域（すなわち隣り合う２つの多角面）間で光の入射が異なるため、外周壁の多角面から出射する光に差が見られる。そのため、宝石のカットのようなキラキラした感じを出すことができる。
【００３６】
また、上筒部本体１２ａの外周壁には、三角面同士間に、天蓋部１４側から見て時計回りの方向に下るように傾斜した第１の稜線２４と、天蓋部１４側から見て反時計回り方向に下るように傾斜した第２の稜線２６とが形成されているため、回動により容器本体から着脱する際に手指の上下方向への移動および回動方向への移動が第１の稜線２４または第２の稜線２６で充分に規制される。そのため、手指が上下方向および回動方向に滑りにくい。
【００３７】
また、第１の多角面２０が凹面とされているため、手指が凹面に掛止されやすくなり、より確実に手指の滑りを抑えることができる。また、凹面によって光が複雑に反射および出射するため、上筒部１２に宝石のカットのような意匠性をさらに付与できる。
【００３８】
また、縮径部１２ｂが、複数の三角面で構成され、かつ三角面同士間に第１の稜線３４と第２の稜線３６とが形成された外周壁、および複数の三角面で構成され、かつ三角面同士間に第１の谷線３５と第２の谷線３７とが形成された内周壁を有し；内周壁の第１の谷線３５および第２の谷線３７が、外周壁の第１の多角面３０および第２の多角面３２を、それぞれ３つの領域（１つのひし形面または五角形面および２つの三角面）に分割するように、外周壁側に透けて見える位置に形成されている。そのため、上筒部本体１２ａと同じ作用機序によって、手指の滑りを抑えつつ、上筒部１２における宝石のカットのような意匠性をさらに高めることができる。
【００３９】
（第２の実施形態）
図６は、本発明のキャップの第２の実施形態を示す斜視図であり、図７は、側面図である。図６および図７における破線は、内周壁側の多角面同士間に形成された線条が外周壁側に透けて見えていることを示す。
第２の実施形態において、第１の実施形態と同じ構成については、同じ符号を付して説明を省略する。
【００４０】
キャップ２は、容器（図示略）の計量キャップとして用いられるものである。
キャップ２は、キャップ本体１０と、キャップ本体１０の外壁面から外方に延設された螺合部４０とが一体成形されたものである。
【００４１】
上筒部本体１２ａの外周壁は、上筒部本体１２ａの周方向の辺が周方向に直交する辺よりも短くされた四角形面である多角面６０が上筒部本体１２ａの周方向に複数配列されて構成されている。また、上筒部本体１２ａの外周壁には、隣り合う２つの多角面６０が交わってできる、上筒部本体１２ａの周方向に直交する方向に延びる稜線６２が形成されている。
【００４２】
上筒部本体１２ａの内周壁は、上筒部本体１２ａの周方向に交互に配置された、天蓋部１４から離れるにしたがって上筒部本体１２ａの周方向の幅が狭くなる三角面の第１の多角面２１と、天蓋部１４から離れるにしたがって上筒部本体１２ａの周方向の幅が広くなる三角面の第２の多角面２３とで構成されている。また、上筒部本体１２ａの内周壁には、隣り合う第１の多角面２１と第２の多角面２３とが交わってできる、天蓋部１４側から見て時計回りの方向に下るように傾斜した第１の谷線２５と、天蓋部１４側から見て反時計回り方向に下るように傾斜した第２の谷線２７とが形成されている。
【００４３】
上筒部本体１２ａの外周壁の多角面６０と内周壁の第１の多角面２１とは、上筒部本体１２ａの肉厚部１２ｃを挟んで対向している。また、上筒部本体１２ａの内周壁の第２の多角面２３は、外周壁の稜線６２で二等分される位置に配置されている。
これにより、内周壁の第１の谷線２５および第２の谷線２７が、外周壁の多角面６０を３つの領域（３つの三角面）に分割するように、外周壁側に透けて見える位置に形成されることになる。
【００４４】
縮径部１２ｂの外周壁は、縮径部１２ｂの周方向の辺が周方向に直交する辺よりも長くされた四角形面である多角面７０が縮径部１２ｂの周方向に複数配列されて構成されている。また、縮径部１２ｂの外周壁には、隣り合う２つの多角面７０が交わってできる、縮径部１２ｂの周方向に直交する方向に延びる稜線７２が形成されている。
【００４５】
縮径部１２ｂの内周壁は、縮径部１２ｂの周方向に交互に配置された、天蓋部１４から離れるにしたがって縮径部１２ｂの周方向の幅が狭くなる三角面の第１の多角面３１と、天蓋部１４から離れるにしたがって縮径部１２ｂの周方向の幅が広くなる台形面の第２の多角面３３とで構成されている。また、縮径部１２ｂの内周壁には、隣り合う第１の多角面３１と第２の多角面３３とが交わってできる、天蓋部１４側から見て時計回りの方向に下るように傾斜した第１の谷線３５と、天蓋部１４側から見て反時計回り方向に下るように傾斜した第２の谷線３７とが形成されている。
【００４６】
縮径部１２ｂの外周壁の多角面７０と内周壁の第２の多角面３３とは、縮径部１２ｂの肉厚部１２ｃを挟んで対向している。また、縮径部１２ｂの内周壁の第１の多角面３１は、外周壁の稜線７２で二等分される位置に配置されている。
これにより、内周壁の第１の谷線３５および第２の谷線３７が、外周壁の多角面７０を３つの領域（１つの台形面および２つの三角面）に分割するように、外周壁側に透けて見える位置に形成されることになる。
【００４７】
多角面６０の数、および多角面７０の数は、それぞれ３〜３６が好ましく、８〜２４がより好ましく、９〜１３がさらに好ましい。合計の数が３以上であれば、上筒部１２が筒状となる。合計の数が１３以下であれば、外周壁において隣り合う２つの多角面がなす内角が大きくなりすぎない。そのため、稜線の部分に手指が掛止されやすくなり、手指が滑りにくくなる。
【００４８】
第１の多角面２１と第２の多角面２３との合計の数、および第１の多角面３１と第２の多角面３３との合計の数は、それぞれ６〜３６が好ましく、８〜２４がより好ましく、９〜１３がさらに好ましい。合計の数が６以上であれば、上筒部１２が筒状となる。
【００４９】
キャップ２は、従来の計量キャップと同様に、上筒部１２の外周壁に手指を当接してキャップ本体１０を把持し、軸線を中心にして回動させることで、螺合部４０の部分で容器本体（図示略）の口部に螺着または螺脱される。この際、使用者の手指は、回動方向への移動が稜線６２で充分に規制されるため、手指が回動方向に滑りにくい。そのため、キャップ２を容器本体に容易に螺着または螺脱できる。
【００５０】
（製造方法）
キャップ２は、例えば、金型のキャビティの内周壁に周方向に配列した複数の四角面を形成し、金型のコアの外周壁に周方向に交互に配置された第１の多角面と第２の多角面とを形成し、金型を型閉めし、キャビティとコアとの間に材料を射出し、成形することによって製造できる。
【００５１】
（作用機序）
以上説明したキャップ２にあっては、上筒部本体１２ａが、複数の多角面６０（四角面）で構成され、かつ多角面６０同士間に稜線６２が形成された外周壁、および複数の三角面で構成され、かつ三角面同士間に第１の谷線２５と第２の谷線２７とが形成された内周壁を有し；内周壁の第１の谷線２５および第２の谷線２７が、外周壁の多角面６０を、それぞれ３つの領域（３つの三角面）に分割するように、外周壁側に透けて見える位置に形成されている。そのため、外周壁の多角面６０の数を多くすることなく、見かけ上、多角面が多く存在するように見せることができる。そのため、手指の滑りにくさや製造のしやすさを保ちつつ、上筒部１２に宝石のカットのような意匠性を付与できる。また、内周壁の１つの谷線で２つの領域に分割されたように見える外周壁の多角面においては、外周壁側では２つの領域間で光の反射に差は見られないが、内周壁側では２つの領域（すなわち隣り合う２つの多角面）間で光の入射が異なるため、外周壁の多角面から出射する光に差が見られる。そのため、宝石のカットのようなキラキラした感じを出すことができる。
【００５２】
また、上筒部本体１２ａの外周壁には、多角面６０同士間に稜線６２が形成されているため、回動により容器本体から着脱する際に手指の回動方向への移動が稜線６２で充分に規制される。そのため、手指が回動方向に滑りにくい。
【００５３】
また、縮径部１２ｂが、複数の多角面７０（四角面）で構成され、かつ多角面７０同士間に稜線７２が形成された外周壁、および複数の三角面で構成され、かつ三角面同士間に第１の谷線３５と第２の谷線３７とが形成された内周壁を有し；内周壁の第１の谷線３５および第２の谷線３７が、外周壁の多角面７０を、それぞれ３つの領域（１つの台形面および２つの三角面）に分割するように、外周壁側に透けて見える位置に形成されている。そのため、上筒部本体１２ａと同じ作用機序によって、手指の滑りを抑えつつ、上筒部１２における宝石のカットのような意匠性をさらに高めることができる。
【００５４】
（第３の実施形態）
図８は、本発明のキャップの第３の実施形態を示す斜視図であり、図９は、側面図である。図８および図９における破線は、内周壁側の多角面同士間に形成された線条が外周壁側に透けて見えていることを示す。
第３の実施形態において、第１の実施形態および第２の実施形態と同じ構成については、同じ符号を付して説明を省略する。
【００５５】
キャップ３は、容器（図示略）の計量キャップとして用いられるものである。
キャップ３は、キャップ本体１０と、キャップ本体１０の外壁面から外方に延設された螺合部４０とが一体成形されたものである。
【００５６】
上筒部本体１２ａの外周壁は、上筒部本体１２ａの周方向の辺が周方向に直交する辺よりも短くされた四角形面である多角面６０が上筒部本体１２ａの周方向に複数配列されて構成されている。また、上筒部本体１２ａの外周壁には、隣り合う２つの多角面６０が交わってできる、上筒部本体１２ａの周方向に直交する方向に延びる稜線６２が形成されている。
【００５７】
上筒部本体１２ａの内周壁は、上筒部本体１２ａの周方向の辺が周方向に直交する辺よりも短くされた四角形面である多角面６１が上筒部本体１２ａの周方向に複数配列されて構成されている。また、上筒部本体１２ａの内周壁には、隣り合う２つの多角面６１が交わってできる、上筒部本体１２ａの周方向に直交する方向に延びる谷線６３が形成されている。
【００５８】
上筒部本体１２ａの内周壁の多角面６１は、外周壁の稜線６２で二等分される位置に配置されている。
これにより、内周壁の谷線６３が、外周壁の多角面６０を２つの領域（２つの四角面）に分割するように、外周壁側に透けて見える位置に形成されることになる。
【００５９】
縮径部１２ｂの外周壁は、縮径部１２ｂの周方向の辺が周方向に直交する辺よりも長くされた四角形面である多角面７０が縮径部１２ｂの周方向に複数配列されて構成されている。また、縮径部１２ｂの外周壁には、隣り合う２つの多角面７０が交わってできる、縮径部１２ｂの周方向に直交する方向に延びる稜線７２が形成されている。
【００６０】
縮径部１２ｂの内周壁は、縮径部１２ｂの周方向の辺が周方向に直交する辺よりも長くされた四角形面である多角面７１が縮径部１２ｂの周方向に複数配列されて構成されている。また、縮径部１２ｂの内周壁には、隣り合う２つの多角面７１が交わってできる、縮径部１２ｂの周方向に直交する方向に延びる谷線７３が形成されている。
【００６１】
縮径部１２ｂの内周壁の多角面７１は、外周壁の稜線７２で二等分される位置に配置されている。
これにより、内周壁の谷線７３が、外周壁の多角面７０を２つの領域（２つの四角面）に分割するように、外周壁側に透けて見える位置に形成されることになる。
【００６２】
多角面６０の数、多角面６１の数、多角面７０の数、および多角面７１の数は、それぞれ３〜３６が好ましく、８〜２４がより好ましく、９〜１３がさらに好ましい。合計の数が３以上であれば、上筒部１２が筒状となる。合計の数が１３以下であれば、外周壁において隣り合う２つの多角面がなす内角が大きくなりすぎない。そのため、稜線の部分に手指が掛止されやすくなり、手指が滑りにくくなる。
【００６３】
キャップ３は、従来の計量キャップと同様に、上筒部１２の外周壁に手指を当接してキャップ本体１０を把持し、軸線を中心にして回動させることで、螺合部４０の部分で容器本体（図示略）の口部に螺着または螺脱される。この際、使用者の手指は、回動方向への移動が稜線６２で充分に規制されるため、手指が回動方向に滑りにくい。そのため、キャップ３を容器本体に容易に螺着または螺脱できる。
【００６４】
（製造方法）
キャップ３は、例えば、金型のキャビティの内周壁および金型のコアの外周壁のそれぞれに、周方向に配列された四角面を同じように形成し、キャビティおよびコアを周方向に相対的にずらした状態で金型を型閉めし、キャビティとコアとの間に材料を射出し、成形することによって製造できる。
【００６５】
（作用機序）
以上説明したキャップ３にあっては、上筒部本体１２ａが、複数の多角面６０（四角面）で構成され、かつ多角面６０同士間に稜線６２が形成された外周壁、および多角面６１（四角面）で構成され、かつ多角面６１同士間に谷線６３が形成された内周壁を有し；内周壁の谷線６３が、外周壁の多角面６０を、それぞれ２つの領域（２つの四角面）に分割するように、外周壁側に透けて見える位置に形成されている。そのため、外周壁の多角面６０の数を多くすることなく、見かけ上、多角面が多く存在するように見せることができる。そのため、手指の滑りにくさや製造のしやすさを保ちつつ、上筒部１２に宝石のカットのような意匠性を付与できる。また、内周壁の１つの谷線で２つの領域に分割されたように見える外周壁の多角面においては、外周壁側では２つの領域間で光の反射に差は見られないが、内周壁側では２つの領域（すなわち隣り合う２つの多角面）間で光の入射が異なるため、外周壁の多角面から出射する光に差が見られる。そのため、宝石のカットのようなキラキラした感じを出すことができる。
【００６６】
また、上筒部本体１２ａの外周壁には、多角面６０同士間に稜線６２が形成されているため、回動により容器本体から着脱する際に手指の回動方向への移動が稜線６２で充分に規制される。そのため、手指が回動方向に滑りにくい。
【００６７】
また、縮径部１２ｂが、複数の多角面７０（四角面）で構成され、かつ多角面７０同士間に稜線７２が形成された外周壁、および複数の多角面７１（四角面）で構成され、かつ多角面７１同士間に谷線７３が形成された内周壁を有し；内周壁の谷線７３が、外周壁の多角面７０を、それぞれ２つの領域（２つの四角面）に分割するように、外周壁側に透けて見える位置に形成されている。そのため、上筒部本体１２ａと同じ作用機序によって、手指の滑りを抑えつつ、上筒部１２における宝石のカットのような意匠性をさらに高めることができる。
【００６８】
（他の実施形態）
なお、本発明のキャップは、透明な筒状部と筒状部の一方の開口端を塞ぐ天蓋部とを有し、筒状部が複数の多角面で構成された外周壁および内周壁を有し、内周壁の線条の一部または全部が、外周壁の多角面を分割するように外周壁側に透けて見える位置に形成されているものであればよく、図示例の実施形態のものに限定はされない。
【００６９】
例えば、本発明のキャップは、図示例のようなキャップ本体と螺合部とからなる二重筒構造のものに限定されず、筒状部の開口端近傍の内周壁にネジ部を設けた単筒構造のものであってもよい。二重筒構造の場合、外筒部の外周壁にローレット部が形成されていなくてもよい。
また、螺合部４０におけるネジ部の形成箇所は、図示例のように螺合部４０の外筒部４４の内周壁に限定されず、螺合部４０の外筒部４４の外周壁であってもよい。
また、本発明のキャップは、容器本体の口部に着脱可能に取り付けられキャップであればよく、計量キャップに限定はされない。
また、本発明のキャップは、縮径部を有するものに限定はされず、縮径部を有しなくてもよい。
また、天蓋部は、図示例のような平面形状に限定はされず、軸線方向に漸次縮径する半球形状であってもよい。
【００７０】
また、多角面は、図示例のような三角面、台形面および四角面に限定はされず、ひし形面、平行四辺形面等であってもよい。ただし、手指の滑りにくさ、成形性および意匠性の点からは、三角形面または台形面が好ましい。
また、図示例では、上筒部本体の外周壁の第１の多角面が凹面とされていたが、第２の多角面が凹面とされいてもよく、両方が凹面とされいてもよい。また、縮径部の外周壁の第１の多角面および第２の多角面の一方または両方が凹面とされていてもよい。また、凹面は、内方に向かって凹んだ面であればよく、その形状は特に限定はされない。
【００７１】
また、複数の多角面の形状、サイズ等は、すべて同じであってもよく、一部または全部で異なっていてもよい。ただし、図１に示すように、同じ形状、同じサイズの第１の多角面と同じ形状、同じサイズの第２の多角面とが筒状部の周方向に交互に形成されていることが好ましい。
【００７２】
また、外周壁の多角面同士間に形成された線条は、図示例の稜線に限定はされず、凸条であってもよく、凹条であってもよい。
また、内周壁の多角面同士間に形成された線条は、図示例の谷線に限定はされず、凸条であってもよく、凹条であってもよい。
【産業上の利用可能性】
【００７３】
本発明のキャップは、液状物（液体洗剤、液体漂白剤、液体柔軟剤、溶剤等）、粉粒物（粒状洗剤、粒状漂白剤、粒状調味料等）等の内容物を収納する容器の、容器本体の口部に回動により着脱可能に螺着されるキャップとして有用である。
【符号の説明】
【００７４】
１  キャップ
２  キャップ
３  キャップ
１０  キャップ本体
１２  上筒部（筒状部）
１２ａ  上筒部本体
１２ｂ  縮径部
１２ｃ  肉厚部
１４  天蓋部
１６  下筒部
２０  第１の多角面
２１  第１の多角面
２２  第２の多角面
２３  第２の多角面
２４  第１の稜線
２５  第１の谷線
２６  第２の稜線
２７  第２の谷線
３０  第１の多角面
３１  第１の多角面
３２  第２の多角面
３３  第２の多角面
３４  第１の稜線
３５  第１の谷線
３６  第２の稜線
３７  第２の谷線
４０  螺合部
４２  段部
４４  外筒部
４６  ネジ部
５０  ローレット部
５２  平滑部
６０  多角面
６１  多角面
６２  稜線
６３  谷線
７０  多角面
７１  多角面
７２  稜線
７３  谷線
【図１】
2015151132.tif 000003
【図２】
2015151132.tif 000004
【図３】
2015151132.tif 000005
【図４】
2015151132.tif 000006
【図５】
2015151132.tif 000007
【図６】
2015151132.tif 000008
【図７】
2015151132.tif 000009
【図８】
2015151132.tif 000010
【図９】
2015151132.tif 000011